(57)【要約】  予め設定された複数のグループのそれぞれに室内機４を含み、グループごとに室内機４を管理する空調機用コントローラ２であって、グループをアイコンで表示する表示部２２と、表示部２２を制御するＣＰＵ１６と、を備え、グループは、空調対象空間を予め設定されたそれぞれの小空間で分割したうちの１つと紐付けが設定され、ＣＰＵ１６は、小空間の変更に対応した変更指令を受信した場合、変更指令に応じて、グループに対応付けられている室内機４の対応関係を変更し、変更した室内機４の対応関係に基づいた表示内容で表示部２２にアイコンを表示させる。
2015111173.tif 000002
【特許請求の範囲】
【請求項１】
予め設定された複数のグループのそれぞれに室内機を含み、前記グループごとに前記室内機を管理する空調機用コントローラであって、
前記グループをアイコンで表示する表示部と、
前記表示部を制御する制御部と、
を備え、
前記グループは、
空調対象空間を予め設定されたそれぞれの小空間で分割したうちの１つと紐付けが設定され、
前記制御部は、
前記小空間の変更に対応した変更指令を受信した場合、
前記変更指令に応じて、前記グループに対応付けられている前記室内機の対応関係を変更し、変更した前記室内機の対応関係に基づいた表示内容で前記表示部に前記アイコンを表示させる
ことを特徴とする空調機用コントローラ。
【請求項２】
前記グループのそれぞれには番号が設定され、
前記制御部は、
前記変更指令が前記グループの分割処理である場合、
前記グループの番号と、前記グループの分割内容と、に基づいて、前記グループに対応付けられている前記室内機の対応関係を分割し、分割した前記室内機の対応関係に基づいた表示内容で前記アイコンを表示させる
ことを特徴とする請求項１に記載の空調機用コントローラ。
【請求項３】
前記グループのそれぞれには番号が設定され、
前記制御部は、
前記変更指令が前記グループの統合処理である場合、
前記グループの番号と、前記グループの統合内容と、に基づいて、前記グループに対応付けられている前記室内機の対応関係を統合し、統合した前記室内機の対応関係に基づいた表示内容で前記アイコンを表示させる
ことを特徴とする請求項１に記載の空調機用コントローラ。
【請求項４】
前記グループのそれぞれには番号が設定され、
前記制御部は、
前記変更指令が前記グループの並べ替え処理である場合、
前記グループの番号と、前記グループの並べ替え内容と、に基づいて、前記グループに対応付けられている前記室内機の対応関係を並べ替え、並べ替えた前記室内機の対応関係に基づいた表示内容で前記アイコンを表示させる
ことを特徴とする請求項１に記載の空調機用コントローラ。
【請求項５】
前記制御部は、
前記アイコンを表示する際、前記室内機の台数に応じて表示サイズを変更して前記表示部に表示させる
ことを特徴とする請求項１〜４の何れか一項に記載の空調機用コントローラ。
【請求項６】
各種信号を送受信する送受信部をさらに備え、
前記制御部は、
前記グループに含まれる前記室内機と対応させた並び順で前記アイコンを前記表示部に表示させるものであって、
前記各種信号に前記並び順が含まれる場合、前記並び順を前記送受信部を介して送信する
ことを特徴とする請求項１〜５の何れか一項に記載の空調機用コントローラ。
【請求項７】
前記制御部は、
前記グループの番号の表示の有無に関する表示制御信号を受信した場合、
前記表示制御信号に応じて、前記アイコンの表示内容に前記グループの番号を含ませるか否かを制御する
ことを特徴とする請求項１〜６の何れか一項に記載の空調機用コントローラ。
【請求項８】
請求項１〜７の何れか一項に記載の空調機用コントローラと、
室外機と、
前記室内機と、
を備え、
前記空調機用コントローラは、
前記室外機と、前記室内機と、を前記グループごとに制御する
ことを特徴とする空気調和システム。
【請求項９】
前記空調機用コントローラを複数備え、
前記空調機用コントローラのそれぞれは、互いに管理信号を送受信し、
前記管理信号は、
前記アイコンの表示位置が含まれる
ことを特徴とする請求項８に記載の空気調和システム。
【発明の詳細な説明】
【技術分野】
【０００１】
本発明は、空調機用コントローラ及び空気調和システムに関し、例えば、作業内容に即した簡易な操作でグループの再設定を行わせることで、作業負荷をかけずにレイアウト変更に対応したグループ表示を行う空調機用コントローラ及び空気調和システムに関する。
【背景技術】
【０００２】
従来の空調機用コントローラの中には、１つのアイコンに複数の管理内容が紐付けされているものがある（例えば、特許文献１参照）。また、従来の空調機用コントローラの中には、マウス操作で任意の位置に空白挿入命令、改列命令及び改頁命令を挿入させるものがある（例えば、特許文献２参照）。
【先行技術文献】
【特許文献】
【０００３】
【特許文献１】特開２００１−３５０５１５号公報（段落［００４８］）
【特許文献２】特開２００４−２７２６２０号公報（段落［００２０］）
【発明の概要】
【発明が解決しようとする課題】
【０００４】
上記で説明したような従来の空調機用コントローラは、複数の管理内容の代表として１つのアイコンが実際のレイアウトに対応して設定されているため、アイコンはある特定のグループの代表が表示されていると考えられる。【０００５】
また、上記で説明したような従来の空調機用コントローラは、座標を指定させて表示位置を調整するものではなく、マウス操作で任意の位置に表示位置を変更するものであり、簡易な操作で表示位置を調整する。【０００６】
しかし、レイアウト変更が行われた場合、従来の空調機用コントローラは、作業負荷をかけずにレイアウト変更に対応したグループ表示を行うことができないという問題点があった。【０００７】
本発明は、上記のような問題点を解決するためになされたもので、作業負荷をかけずにレイアウト変更に対応したグループ表示を行うことができる空調機用コントローラ及び空気調和システムを提供することを目的とするものである。
【課題を解決するための手段】
【０００８】
本発明に係る空調機用コントローラは、予め設定された複数のグループのそれぞれに室内機を含み、前記グループごとに前記室内機を管理する空調機用コントローラであって、前記グループをアイコンで表示する表示部と、前記表示部を制御する制御部と、を備え、前記グループは、空調対象空間を予め設定されたそれぞれの小空間で分割したうちの１つと紐付けが設定され、前記制御部は、前記小空間の変更に対応した変更指令を受信した場合、前記変更指令に応じて、前記グループに対応付けられている前記室内機の対応関係を変更し、変更した前記室内機の対応関係に基づいた表示内容で前記表示部に前記アイコンを表示させるものである。
【発明の効果】
【０００９】
本発明は、作業内容に即した簡易な操作でグループの再設定を行わせることで、作業負荷をかけずにレイアウト変更に対応したグループ表示を行うことができるという効果を有する。
【図面の簡単な説明】
【００１０】
【図１】本発明の前提となる背景技術における空調機用コントローラ２のグループ設定情報の一例を示す図である。
【図２】本発明の前提となる背景技術における空調機用コントローラ２の監視画面３１の一例を示す図である。
【図３】本発明の前提となる背景技術におけるフロアレイアウトに対応したグループ設定変更の一例を示す図である。
【図４】本発明の前提となる背景技術におけるグループ追加後の空調機用コントローラ２の監視画面３１の一例を示す図である。
【図５】本発明の前提となる背景技術におけるフロアレイアウトに対応したグループ設定変更の一例を示す図である。
【図６】本発明の前提となる背景技術におけるグループ再設定後のグループアイコン８１〜グループアイコン８５の表示の一例を示す図である。
【図７】本発明の動作原理を概略的に説明する図である。
【図８】本発明の実施の形態１における空気調和システム１の概略構成の一例を示す図である。
【図９】本発明の実施の形態１における空調機用コントローラ２の内部構成の一例を示す図である。
【図１０】本発明の実施の形態１におけるグループ分割の一例を示す図である。
【図１１】本発明の実施の形態１におけるグループ分割に伴うデータ構成の遷移を概略的に説明する図である。
【図１２】本発明の実施の形態１におけるグループ分割操作受付処理の一例を説明するフローチャートである。
【図１３】本発明の実施の形態１におけるグループ分割前のレイアウト画面１５０ａの一例を示す図である。
【図１４】本発明の実施の形態１におけるグループ分割設定画面１５１の一例を示す図である。
【図１５】本発明の実施の形態１におけるグループ分割後のレイアウト画面１５０ｂの一例を示す図である。
【図１６】本発明の実施の形態１におけるグループ分割動作内部処理の一例を説明するフローチャートである。
【図１７】本発明の実施の形態１におけるグループ追加時のグループ設定情報の一例を示す図である。
【図１８】本発明の実施の形態１における分割グループの室内機データ削除時のグループ設定情報の一例を示す図である。
【図１９】本発明の実施の形態１における室内機データ登録時のグループ設定情報の一例を示す図である。
【図２０】本発明の実施の形態１における室内機データ再登録時のグループ設定情報の一例を示す図である。
【図２１】本発明の実施の形態１におけるグループ番号再割付時のグループ設定情報の一例を示す図である。
【図２２】本発明の実施の形態２におけるグループ統合の一例を示す図である。
【図２３】本発明の実施の形態２におけるグループ統合に伴うデータ構造の遷移を概略的に説明する図である。
【図２４】本発明の実施の形態２におけるグループ統合操作受付処理の一例を説明するフローチャートである。
【図２５】本発明の実施の形態２におけるグループ統合前で統合操作開始時のレイアウト画面１５０ｃの一例を示す図である。
【図２６】本発明の実施の形態２におけるグループ統合前で統合対象選択時のレイアウト画面１５０ｄの一例を示す図である。
【図２７】本発明の実施の形態２におけるグループ統合後のレイアウト画面１５０ｅの一例を示す図である。
【図２８】本発明の実施の形態２におけるグループ統合動作内部処理の一例を説明するフローチャートである。
【図２９】本発明の実施の形態２における統合対象グループの室内機データ削除時のグループ設定情報の一例を示す図である。
【図３０】本発明の実施の形態２における統合グループの室内機データ登録時のグループ設定情報の一例を示す図である。
【図３１】本発明の実施の形態２における統合グループの室内機データ再登録時のグループ設定情報の一例を示す図である。
【図３２】本発明の実施の形態２におけるグループ番号再割付時のグループ設定情報の一例を示す図である。
【図３３】本発明の実施の形態３におけるグループ並べ替えの一例を示す図である。
【図３４】本発明の実施の形態３におけるグループ並べ替えに伴うデータ構造の遷移を概略的に説明する図である。
【図３５】本発明の実施の形態３におけるグループ並べ替え操作受付処理の一例を説明するフローチャートである。
【図３６】本発明の実施の形態３におけるグループ並べ替え前でグループ並べ替え操作開始時のレイアウト画面１５０ｆの一例を示す図である。
【図３７】本発明の実施の形態３におけるグループ並べ替え後のレイアウト画面１５０ｇの一例を示す図である。
【図３８】本発明の実施の形態３におけるグループ並べ替え動作内部処理の一例を説明するフローチャートである。
【図３９】本発明の実施の形態３におけるグループ並べ替えの手順を概略的に説明する図である。
【図４０】本発明の実施の形態３におけるグループ並べ替えの位置の詳細例を示す図である。
【図４１】本発明の実施の形態３における現在位置から左側へのグループ並べ替え動作を概略的に説明する図である。
【図４２】本発明の実施の形態３における下段から上段へのグループ並べ替え動作を概略的に説明する図である。
【図４３】本発明の実施の形態３における現在位置から右側へのグループ並べ替え動作を概略的に説明する図である。
【図４４】本発明の実施の形態３における上段から下段へのグループ並べ替え動作を概略的に説明する図である。
【図４５】本発明の実施の形態４におけるレイアウト画面１５０ｈと画面表示位置データとの対応関係の一例を示す図である。
【図４６】本発明の実施の形態４における画面表示位置データの一例を示す図である。
【図４７】本発明の実施の形態４における表示位置指定用の通信コマンドの一例を示す図である。
【図４８】本発明の実施の形態４における通信処理の一例を説明するフローチャートである。
【図４９】本発明の実施の形態５におけるグループ番号表示有無設定画面の一例を示す図である。
【図５０】本発明の実施の形態５におけるグループ番号表示無し設定時の監視画面３２の一例を示す図である。
【発明を実施するための形態】
【００１１】
以下、本発明の実施の形態について、図面を用いて詳細に説明する。なお、本発明の実施の形態の動作を行うプログラムを記述するステップは、記載された順序に沿って時系列に行われる処理であるが、必ずしも時系列に処理されなくても、並列的又は個別に実行される処理をも含んでもよい。
【００１２】
また、本実施の形態で説明される各機能をハードウェアで実現するか、ソフトウェアで実現するかは問わない。つまり、本実施の形態で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１３】
また、本実施の形態で説明されるブロック図の各ブロックは、その機能が実施されればよく、それらの各ブロックで構成が分離されなくてもよい。なお、本実施の形態１〜５のそれぞれにおいて、特に記述しない項目については実施の形態１〜５と同様とし、同一の機能及び構成については同一の符号を用いて述べることとする。また、本実施の形態１〜２のそれぞれは、単独で実施されてもよく、組み合わされて実施されてもよい。いずれの場合においても、後述する有利な効果を奏することとなる。また、本実施の形態で説明する各種具体的な設定例は一例を示すだけであり、特にこれらに限定されない。
【００１４】
また、本実施の形態において、システムとは、複数の装置で構成される装置全体を表すものである。また、本実施の形態において、ネットワークとは、少なくとも２つの装置が接続され、ある装置から他の装置へ情報の伝達ができるようにした仕組みをいう。ネットワークを介して通信する装置は、独立した装置同士であってもよく、１つの装置を構成している内部ブロック同士であってもよい。また、本実施の形態において、通信とは、無線通信及び有線通信は勿論、無線通信と有線通信とが混在した通信であってもよい。例えば、ある区間では無線通信が行われ、他の空間では有線通信が行われるようなものであってもよい。また、ある装置から他の装置への通信が有線通信で行われ、他の装置からある装置への通信が無線通信で行われるようなものであってもよい。
【００１５】
実施の形態１．
（実施の形態１の背景技術）
図１は、本発明の前提となる背景技術における空調機用コントローラ２のグループ設定情報の一例を示す図である。図１に示すように、設定情報テーブル１１は、例えば、グループ名データ、グループ番号データ、及び登録ユニットデータで構成されている。グループ名６０（後述する）は、例えば、グループ［Ａ］、グループ［Ｂ］、グループ［Ｃ］、及びグループ［Ｄ］を含んでいる。グループ番号データは、例えば、グループ［０１］、グループ［０２］、グループ［０３］、及びグループ［０４］を含んでいる。なお、グループ名データは、データの構成要素に含まれていなくてもよい。
【００１６】
登録ユニットデータは、例えば、グループ［０１］に対応するものとして室内機アドレス［００１］及び室内機アドレス［００２］を含んでいる。登録ユニットデータは、例えば、グループ［０２］に対応するものとして室内機アドレス［００３］及び室内機アドレス［００４］を含んでいる。登録ユニットデータは、例えば、グループ［０３］に対応するものとして室内機アドレス［００５］及び室内機アドレス［００６］を含んでいる。登録ユニットデータは、例えば、グループ［０４］に対応するものとして室内機アドレス［００７］及び室内機アドレス［００８］を含んでいる。ここで、室内機アドレスは、複数の室内機４（後述する）のうちの何れかを特定するためのものであればよく、任意の値が設定されると想定する。
【００１７】
次に、フロアレイアウトが複数の小空間に分割されていると想定する。このような想定を前提として、複数の小空間のそれぞれには、グループ名６０（後述する）が対応付けられている。例えば、グループ名６０（後述する）は、Ａ、Ｂ、Ｃ、及びＤと設定されている。また、グループのそれぞれには、番号が対応付けられている。例えば、Ａというグループには番号“０１”が対応付けられ、Ｂというグループには番号“０２”が対応付けられ、Ｃというグループには番号“０３”が対応付けられ、Ｄというグループには番号“０４”が対応付けられている。
【００１８】
また、グループのそれぞれには、空調機、例えば、室内機４（後述する）のアドレスが対応付けられている。例えば、番号“０１”というグループには室内機アドレス“００１”及び室内機アドレス“００２”が対応付けられている。また、番号“０２”というグループには室内機アドレス“００３”及び室内機アドレス“００４”が対応付けられている。また、番号“０３”というグループには室内機アドレス“００５”及び室内機アドレス“００６”が対応付けられている。また、番号“０４”というグループには室内機アドレス“００７”及び室内機アドレス“００８”が対応付けられている。
【００１９】
つまり、フロアレイアウトに応じて、空調機、例えば、室内機４（後述する）がグループ単位で管理されるように設定情報テーブル１１が構成されている。よって、設定情報テーブル１１は、グループのそれぞれと、空調機、例えば、室内機４（後述する）とが割付けられる構成となっている。具体的には、設定情報テーブル１１は、グループ番号７０（後述する）ごとにそれぞれのグループに割り付ける空調機、例えば、室内機４（後述する）のアドレスが設定されている構成となっている。
【００２０】
上記で説明したような設定情報テーブル１１は、例えば、後述する空調機用コントローラ２の画面上で設定が行われる。例えば、後述する空調機用コントローラ２は、初期設定モードに移行した場合、初期設定画面で設定情報テーブル１１を表示してもよい。このような初期設定画面を介して、管理で必要なグループに対応して割り付ける室内機４（後述する）のアドレスが設定される。ここで、このような後述する空調機用コントローラ２は、複数のグループを管理できるものと想定する。
【００２１】
ところで、オフィス及び各種テナント等が入るビルでは、使用者の入れ替わり等でフロアレイアウトの変更が行われることがあり、グループの分割及び統合等が発生する場合がある。よって、フロアレイアウトが変更されるたびに、グループ設定、例えば、グループ編成の変更が行われることがある。
【００２２】
図２は、本発明の前提となる背景技術における空調機用コントローラ２の監視画面３１の一例を示す図である。監視画面３１は、上記で説明した設定情報テーブル１１に基づいて構成された表示内容であり、後述する空調機用コントローラ２の管理対象となっているグループの運転状態が反映されている。
【００２３】
監視画面３１は、例えば、画面上側には、グリッドスクリーンボタン４１、リストスクリーンボタン４２、グループスクリーンボタン４３、及びメインメニュースクリーンボタン４４等が構成され、現在時刻５１が表示されている。監視画面３１は、例えば、画面中央側には、グループ名６１〜グループ名６５と、グループ番号７１〜グループ番号７５と、グループアイコンボタン８１〜グループアイコンボタン８５と、が構成されている。監視画面３１は、例えば、画面下側には、選択操作パネルアクセスボタン１０１、ズームアウト／ズームインボタン１０２、左三角ボタン１０３、現在頁番号１０４、右三角ボタン１０５、セレクトオールボタン１０６、及び操作ボタン１０７が構成されている。
【００２４】
また、グループアイコンボタン８１には、例えば、暖房モード表示サイン９１が表示されている。また、グループアイコンボタン８３には、例えば、暖房モード表示サイン９１及びチェックマーク９３が表示されている。また、グループアイコンボタン８４には、例えば、フィルター交換サイン９２が表示されている。また、グループアイコンボタン８５には、例えば、フィルター交換サイン９２が表示されている。
【００２５】
なお、グループ名６１〜グループ名６５のそれぞれを特に区別しない場合、グループ名６０と称する。また、グループ番号７１〜グループ番号７５のそれぞれを特に区別しない場合、グループ番号７０と称する。また、グループアイコンボタン８１〜グループアイコンボタン８５のそれぞれを特に区別しない場合、グループアイコンボタン８０と称する。ここで、グループ名６０と、グループ番号７０と、グループアイコンボタン８０とは、互いに対応付けられた状態で表示されている。
【００２６】
ここで、図２に示すように、監視画面３１は、管理対象となっているグループがアイコンとして表示されている。このようなアイコンは、例えば、上記で説明したグループアイコンボタン８１〜グループアイコンボタン８５として構成されている。
【００２７】
グループアイコンボタン８０は、グループ番号７０（後述する）が表示され、グループの番号順、例えば、グループの番号の昇順に並べられた状態で表示されている。グループアイコンボタン８０は、室内機４（後述する）の運転状態、例えば、運転状態、停止状態、及び異常状態等の何れかが表示されていてもよい。グループアイコンボタン８０は、例えば、運転及び停止の何れか一方の操作指令を出すボタンとして構成され、押下等の操作がされることで、対応するグループの運転状態等が変更される。
【００２８】
ところで、フロアレイアウトが変更される場合、グループの再設定が必要となるが、このようなグループの再設定には大きな作業負荷がかかる。図３は、本発明の前提となる背景技術におけるフロアレイアウトに対応したグループ設定変更の一例を示す図である。図３では、上記で説明した設定情報テーブル１１が、設定変更前状態１１１から設定変更中状態１１２に遷移する一例が示されている。
【００２９】
例えば、フロアがフロアＡ、フロアＢ、フロアＣ、及びフロアＤの小空間に分割され、その後、フロアＡがフロアＡとフロアＥとに２分割されると想定する。ここで、設定変更前状態１１１では、フロアレイアウトのうち、フロアＡがグループ［Ａ］に対応し、フロアＢがグループ［Ｂ］に対応し、フロアＣがグループ［Ｃ］に対応し、フロアＤがグループ［Ｄ］に対応していると想定する。また、設定変更中状態１１２では、フロアレイアウトのうち、フロアＡがグループ［Ａ］に対応し、フロアＢがグループ［Ｂ］に対応し、フロアＣがグループ［Ｃ］に対応し、フロアＤがグループ［Ｄ］に対応し、フロアＥがグループ［Ｅ］に対応していると想定する。
【００３０】
具体的には、最初に、分割で追加されるグループが設定される。例えば、新規にフロアＥ用の管理対象のグループとしてグループ［０５］が追加され、ここに、フロアＡに登録されていた室内機アドレス［００２］が登録される。次に、フロアＡ用の管理対象のグループとしてグループ［０１］に登録されている室内機アドレス［００２］が削除され、作業が完了される。この結果を図４を用いて説明する。
【００３１】
図４は、本発明の前提となる背景技術におけるグループ追加後の空調機用コントローラ２の監視画面３１の一例を示す図である。図４に示すように、設定変更前表示画面１２１と比べ、設定変更中表示画面１２２では、グループ番号７０の順、例えば、昇順にグループの並べが表示されているが、並べ替えが実施されていない。よって、フロアＡに対応するグループアイコンボタン８１と、フロアＥに対応するグループアイコンボタン８５と、が離れた位置に表示されている。
【００３２】
そこで、実際のレイアウトに合わせて表示させるため、フロアＥに対応するグループアイコンボタン８５の表示位置をフロアＡに対応するグループアイコンボタン８１の右隣に変更する必要がある。具体的には構成変更例を図５及び図６を用いて説明する。
【００３３】
図５は、本発明の前提となる背景技術におけるフロアレイアウトに対応したグループ設定変更の一例を示す図である。図６は、本発明の前提となる背景技術におけるグループ再設定後のグループアイコンボタン８１〜グループアイコンボタン８５の表示の一例を示す図である。
【００３４】
図５に示すように、設定変更中状態１１２から設定変更後状態１１３に状態が遷移する。具体的には、フロアＥに対応するグループ［０２］に室内機アドレス［００２］が登録される。次に、フロアＢに対応するグループ番号７０が現在のグループ番号７０と比べて１つシフトされ、すなわち、１つインクリメントされ、グループ［０３］として再設定され、室内機アドレス［００３］及び室内機アドレス［００４］が再登録される。次に、フロアＣに対応するグループ番号７０が現在のグループ番号７０と比べて１つシフトされ、すなわち、１つインクリメントされ、グループ［０４］として再設定され、室内機アドレス［００５］及び室内機アドレス［００６］が再登録される。次に、フロアＤに対応するグループ番号７０が現在のグループ番号７０と比べて１つシフトされ、すなわち、１つインクリメントされ、グループ［０５］として再設定され、室内機アドレス［００７］及び室内機アドレス［００８］が再登録される。上記のような変更は、例えば、作業担当者によって実施される。
【００３５】
なお、フロアの間仕切り変更、例えば、削除されることでフロアが統合される場合、統合されるグループが削除され、削除されたグループに登録されていた室内機アドレスが統合先のグループに追加登録されればよい。この場合も同様に、削除されたグループ以降のグループ番号７０が１つずつシフトされ、グループが再設定される必要がある。
【００３６】
よって、グループの分割及び統合等が行われ、フロアレイアウトに合わせたグループ表示が実施されるためには、グループの再設定が必要であるが、多大な作業負荷が発生する。例えば、グループの分割及び統合の何れかの動作に対応するグループが１つのグループだけであったとしても、グループの分割及び統合の何れかに対応しないグループの再設定も必要となるため、多大な作業負荷が生じる。
【００３７】
このようなグループ設定は、通常、エンドユーザーには公開されず、管理者、施工業者、及びメンテナンス業者が行っている。よって、グループ設定を行うためには、各業者に依頼する必要が生じ、エンドユーザー側には費用もかかってくる。また、グループの分割及び統合の何れかが実施され、フロアレイアウトに対応したグループの並びで表示されたとしても、図６に示すように、設定変更後表示画面１２３は、グループアイコンボタン８１〜グループアイコンボタン８５のそれぞれは、上記で説明した設定変更前表示画面１２１と同一表示になっているため、一目で作業結果及び管理規模の変更が分かる表示となっているわけではない。
【００３８】
以上の説明から、フロアレイアウトの変更に対応してグループが再設定される際、作業担当者に多くの工程が要求され、グループの再設定後も直感的に理解しづらいものとなっている。そこで、容易にグループの表示変更が実施されることと、グループの表示変更結果が容易に認識されることとが必要となる。また、フロアレイアウトの変更に対応してグループアイコンボタン８０の並べ替えが実施されれば、グループの再設定の負荷が低減される。
【００３９】
そこで、フロアレイアウトに対応するグループの再設定が実施される場合、作業負荷を低減させたグループの分割及び統合の処理が実施されると共に、グループの分割が実施される際、グループの表示の並べ替えが実施され、表示画面では、それらの動作結果が明確に反映された構成が望ましい。そのような構成であれば、作業負荷及びコストをかけなくても、レイアウト変更に対応したグループが表示される。そして、フロアレイアウトに対応したグループ表示が実施されれば、エンドユーザー等がグループの誤操作及び誤認識をするのを防ぐことができる。次に、そのような構成の具体例について順に説明する。
【００４０】
（実施の形態１の動作原理）
図７は、本発明の動作原理を概略的に説明する図である。図７に示すように、対応関係設定処理部１３５は、設定状態保持データ１３１から操作対象選択指令に応じて供給される設定対象データと、変更内容データ１３３から変更内容選択指令に応じて供給される変更内容指令と、に基づいて、表示内容データが生成される。
【００４１】
設定状態保持データ１３１は、例えば、グループ名６０と、グループ番号７０と、登録対象機器と、登録対象機器のアドレスとが、紐付けされたデータ構成である。変更内容データ１３３は、例えば、分割処理データと、統合処理データと、並べ替え処理データとを含むデータ構成である。対応関係設定処理部１３５は、複数のグループアイコンボタン８０に関するデータのうち、操作対象選択指令に応じた操作対象データと、変更内容選択指令に応じた変更内容指令とに基づいて、グループアイコンボタン８０の表示内容に対応した表示内容データを生成することで、作業内容に即した簡易な操作でグループの再設定を行わせる。この結果、作業負荷をかけずにレイアウト変更に対応したグループ表示が実施される。なお、上記で説明した動作原理は一例であり、特にこれに限定されない。さらに具体的な一例について以降で順に説明する。
【００４２】
（実施の形態１の構成）
図８は、本発明の実施の形態１における空気調和システム１の概略構成の一例を示す図である。図８に示すように、空気調和システム１は、空調機用コントローラ２ａ、空調機用コントローラ２ｂ、室外機３ａ〜室外機３ｄ、及び室内機４ａ〜室内機４ｈを備えている。空調機用コントローラ２ａ、空調機用コントローラ２ｂ、室外機３ａ〜室外機３ｄ、及び室内機４ａ〜室内機４ｈのそれぞれには、一意に識別されるアドレスが設定されている。
【００４３】
例えば、上記で説明したように、室内機４ａには室内機アドレス［００１］が設定され、室内機４ｂには室内機アドレス［００２］が設定され、室内機４ｃには室内機アドレス［００３］が設定され、室内機４ｄには室内機アドレス［００４］が設定され、室内機４ｅには室内機アドレス［００５］が設定され、室内機４ｆには室内機アドレス［００６］が設定され、室内機４ｇには室内機アドレス［００７］が設定され、室内機４ｈには室内機アドレス［００８］が設定されている。
【００４４】
空調機用コントローラ２ａ、空調機用コントローラ２ｂ、室外機３ａ〜室外機３ｄ、及び室内機４ａ〜室内機４ｈのそれぞれは、通信伝送線６を介して、各種信号が送受信される。なお、通信伝送線６が有線である場合を想定するが、特にこれに限定されない。例えば、通信伝送線６は無線であってもよい。つまり、通信伝送線６は、通信媒体であればよい。
【００４５】
室内機４ａと、室内機４ｂと、室外機３ａとは、図示しない冷媒配管で接続されることで冷媒回路が形成され、例えば、１機目の空気調和機を構成している。室内機４ｃと、室内機４ｄと、室外機３ｂとは、図示しない冷媒配管で接続されることで冷媒回路が形成され、例えば、２機目の空気調和機を構成している。室内機４ｅと、室内機４ｆと、室外機３ｃとは、図示しない冷媒配管で接続されることで冷媒回路が形成され、例えば、３機目の空気調和機を構成している。室内機４ｇと、室内機４ｈと、室外機３ｄとは、図示しない冷媒配管で接続されることで冷媒回路が形成され、例えば、４機目の空気調和機を構成している。
【００４６】
１機目の空気調和機には、例えば、グループ［０１］が設定されている。２機目の空気調和機には、例えば、グループ［０２］が設定されている。３機目の空気調和機には、例えば、グループ［０３］が設定されている。４機目の空気調和機には、例えば、グループ［０４］が設定されている。
【００４７】
空調機用コントローラ２ａは、空気調和システム１において、例えば、上位側機器として構成されている。一方、空調機用コントローラ２ｂは、空気調和システム１において、例えば、下位側機器として構成されている。空調機用コントローラ２ａは、空調機用コントローラ２ｂの運転と、１機目の空気調和機の運転と、２機目の空気調和機の運転と、３機目の空気調和機の運転と、４機目の空気調和機の運転とを管理している。空調機用コントローラ２ｂは、１機目の空気調和機の運転と、２機目の空気調和機の運転と、３機目の空気調和機の運転と、４機目の空気調和機の運転とを管理している。
【００４８】
よって、室内機４ａ〜室内機４ｈのそれぞれの作動状態、及び室外機３ａ〜室外機３ｄのそれぞれの作動状態は、空調機用コントローラ２ａ及び空調機用コントローラ２ｂの何れか一方で設定できる構成となっている。
【００４９】
上記で説明したようなグループ［０１］〜グループ［０４］に関するグループ設定情報は、例えば、上位側機器の空調機用コントローラ２ａで設定され、設定結果が下位側機器の空調機用コントローラ２ｂに通信伝送線６を介して送信される。その結果、下位側機器の空調機用コントローラ２ｂは、上位側機器から受信したグループ設定情報を自機の管理対象のグループとして表示する。
【００５０】
なお、空調機用コントローラ２ａ及び空調機用コントローラ２ｂのそれぞれを特に区別しない場合、空調機用コントローラ２と称する。また、室外機３ａ〜室外機３ｄのそれぞれを特に区別しない場合、室外機３と称する。また、室内機４ａ〜室内機４ｈのそれぞれを特に区別しない場合、室内機４と称する。次に、空調機用コントローラ２の詳細について説明する。
【００５１】
図９は、本発明の実施の形態１における空調機用コントローラ２の内部構成の一例を示す図である。図９に示すように、空調機用コントローラ２は、タッチパネルディスプレイ１２、送受信回路１３、メモリ１４、不揮発メモリ１５、及びＣＰＵ（Ｃｅｎｔｒａｌ  Ｐｒｏｃｅｓｓｉｎｇ  Ｕｎｉｔ）１６を備えている。タッチパネルディスプレイ１２は、例えば、操作入力部２１と、表示部２２とで構成される。
【００５２】
操作入力部２１は、作業担当者等の操作を受け付け、操作結果をＣＰＵ１６に供給するマンマシンインターフェースの１つである。表示部２２は、上記で説明したような空気調和機の運転状態を表示するマンマシンインターフェースの１つである。送受信回路１３は、通信伝送線６を介して、室内機４、室外機３、及び自機以外の空調機用コントローラ２と各種信号を送受信する。メモリ１４は、機能制御を行うプログラムを予め記憶するものである。不揮発メモリ１５は、設定内容を不揮発状態で記憶するものであり、例えば、グループ番号７０と、登録ユニットとに関する情報を含むグループ設定情報を記憶する。ＣＰＵ１６は、機能制御の実行を司るものであり、送受信回路１３、室内機４、室外機３、及び自機以外の空調機用コントローラ２の統括制御する。
【００５３】
なお、上記で説明した空調機用コントローラ２の内部構成は一例であって、特にこれに限定されない。要するに、後述する処理が実行される構成であればよい。次に、グループの分割について順に説明する。
【００５４】
図１０は、本発明の実施の形態１におけるグループ分割の一例を示す図である。図１０に示すように、グループ［０１］が、グループ［０１］と、グループ［０２］とに分割され、分割後のグループ［０１］に室内機４のアドレス［００１］が再登録され、分割後のグループ［０２］に室内機４のアドレス［００２］が再登録されることとなる。次に、分割処理の詳細について順に説明する。
【００５５】
（実施の形態１の動作）
図１１は、本発明の実施の形態１におけるグループ分割に伴うデータ構成の遷移を概略的に説明する図である。図１１に示すように、グループ番号［０１］に紐付けられている室内機４のアドレス［００２］が削除され、グループ番号［０２］に紐付けられている室内機４にアドレス［００２］が登録される。次いで、室内機４のアドレス［００３］以降にそれぞれ紐付けされているグループ番号７０が、例えば、［０３］以降に再割付される動作と、アドレステーブルに含まれるアドレスが再設定される動作の何れかが実施される。
【００５６】
図１２は、本発明の実施の形態１におけるグループ分割操作受付処理の一例を説明するフローチャートである。図１３は、本発明の実施の形態１におけるグループ分割前のレイアウト画面１５０ａの一例を示す図である。図１４は、本発明の実施の形態１におけるグループ分割設定画面１５１の一例を示す図である。図１５は、本発明の実施の形態１におけるグループ分割後のレイアウト画面１５０ｂの一例を示す図である。
【００５７】
（ステップＳ１１）
空調機用コントローラ２は、分割対象のグループが選択されたか否かを判定する。空調機用コントローラ２は、分割対象のグループが選択された場合、ステップＳ１２に進む。一方、空調機用コントローラ２は、分割対象のグループが選択されない場合、ステップＳ１１に戻る。
【００５８】
例えば、図１３に示すように、物理的オブジェクト１７１、例えば、指等で分割対象のグループアイコンボタン８１の押下操作がされた場合、空調機用コントローラ２は、分割対象のグループが選択されたと判定する。具体的には、選択されたグループアイコンボタン８１は、チェックマーク９３が表示され、色表示が変更される。
【００５９】
（ステップＳ１２）
空調機用コントローラ２は、分割操作の機能が選択されたか否かを判定する。空調機用コントローラ２は、分割操作の機能が選択された場合、ステップＳ１３に進む。一方、空調機用コントローラ２は、分割操作の機能が選択されない場合、ステップＳ１２に戻る。
【００６０】
例えば、図１３に示すように、物理的オブジェクト１７１でグループ分割ボタン１６１の押下操作がされた場合、空調機用コントローラ２は、分割操作の機能が選択されたと判定する。
【００６１】
（ステップＳ１３）
空調機用コントローラ２は、分割数が設定されたか否かを判定する。空調機用コントローラ２は、分割数が設定された場合、ステップＳ１４に進む。一方、空調機用コントローラ２は、分割数が設定されない場合、ステップＳ１３に戻る。
【００６２】
例えば、図１４に示すように、物理的オブジェクト１７１で分割数入力ボタン１６４の押下操作がされた場合、空調機用コントローラ２は、分割数が設定されたと判定し、設定された分割数に応じて、アドレス入力ボタン１６５が表示される。
【００６３】
（ステップＳ１４）
空調機用コントローラ２は、分割グループのユニットのアドレスが設定されたか否かを判定する。空調機用コントローラ２は、分割グループのユニットのアドレスが設定された場合、ステップＳ１５に進む。一方、空調機用コントローラ２は、分割グループのユニットのアドレスが設定されない場合、ステップＳ１４に戻る。
【００６４】
例えば、図１４に示すように、物理的オブジェクト１７１でアドレス入力ボタン１６５の押下操作がされた場合、空調機用コントローラ２は、分割グループのユニットのアドレスが設定されたと判定する。
【００６５】
（ステップＳ１５）
空調機用コントローラ２は、全ての分割グループのユニットのアドレスが設定されたか否かを判定する。空調機用コントローラ２は、全ての分割グループのユニットのアドレスが設定された場合、ステップＳ１６に進む。一方、空調機用コントローラ２は、全ての分割グループのユニットのアドレスが設定されない場合、ステップＳ１４に戻る。
【００６６】
（ステップＳ１６）
空調機用コントローラ２は、ＯＫボタン１６７が選択されたか否かを判定する。空調機用コントローラ２は、ＯＫボタン１６７が選択された場合、処理を終了する。一方、空調機用コントローラ２は、ＯＫボタン１６７が選択されない場合、ステップＳ１６に戻る。
【００６７】
以上の結果、図１５に示すように、分割結果が、レイアウト画面１５０ｂとして表示される。図１３に示すレイアウト画面１５０ａと、図１５に示すレイアウト画面１５０ｂとを比較する。グループ［０１］は、グループ［０１］と、グループ［０２］とに分割されて表示される。グループ［０３］は、グループ［０２］のグループ番号７０がシフトされ、グループ［０４］は、グループ［０３］のグループ番号７０がシフトされ、グループ［０５］は、グループ［０４］のグループ番号７０がシフトされたものであり、分割処理でグループ番号７０が再割付されて表示される。
【００６８】
ここで、グループ設定としては、グループ［０１］に室内機４のアドレス［００１］、グループ［０２］に室内機４のアドレス［００２］、グループ［０３］に室内機４のアドレス［００３］及びアドレス［００４］、グループ［０４］に室内機４のアドレス［００５］及びアドレス［００６］、グループ［０５］に室内機４のアドレス［００７］及びアドレス［００８］がそれぞれ登録される。
【００６９】
図１５に示すように、分割実施後、レイアウト画面１５０ｂでは、グループアイコンボタン８０のサイズは、例えば、室内機４が１台登録された場合のサイズを基準に定められているため、２台登録時は横幅が２倍等になる等、登録台数に応じてサイズの表示変更が行われる。例えば、図１５では、グループ［０１］及びグループ［０２］のそれぞれは、１台ずつ室内機４のアドレスが登録されているため、室内機４のアドレスが２台ずつ登録されているグループ［０３］〜グループ［０５］のそれぞれのグループアイコンボタン８３〜グループアイコンボタン８５と比較し、横幅が半分のサイズで表示されている。
【００７０】
図１６は、本発明の実施の形態１におけるグループ分割動作内部処理の一例を説明するフローチャートである。図１７は、本発明の実施の形態１におけるグループ追加時のグループ設定情報の一例を示す図である。図１８は、本発明の実施の形態１における分割グループの室内機データ削除時のグループ設定情報の一例を示す図である。図１９は、本発明の実施の形態１における室内機データ登録時のグループ設定情報の一例を示す図である。図２０は、本発明の実施の形態１における室内機データ再登録時のグループ設定情報の一例を示す図である。図２１は、本発明の実施の形態１におけるグループ番号再割付時のグループ設定情報の一例を示す図である。
【００７１】
（ステップＳ３１）
空調機用コントローラ２は、分割対象のグループ番号（ｍ）及び分割数（ｎ）を取得したか否かを判定する。空調機用コントローラ２は、分割対象のグループ番号（ｍ）及び分割数（ｎ）を取得した場合、ステップＳ３２に進む。一方、空調機用コントローラ２は、分割対象のグループ番号（ｍ）及び分割数（ｎ）を取得しない場合、ステップＳ３１に戻る。
【００７２】
（ステップＳ３２）
空調機用コントローラ２は、設定された分割数に応じてグループ（ｍ）とグループ（ｍ＋１）との間にｎ−１個のグループを追加する。
【００７３】
例えば、図１７に示すように、分割前のグループ［０１］と、分割前のグループ［０２］との間に１個のグループが追加される。
【００７４】
（ステップＳ３３）
空調機用コントローラ２は、ｎ−１個の分割グループに設定されたユニットのアドレスを分割元であるグループ（ｍ）から削除する。
【００７５】
例えば、図１８に示すように、分割前のグループ［０１］に含まれる室内機４のアドレスのうち、新たに追加されたグループ［０２］に登録されることになっている室内機４のアドレスが削除される。
【００７６】
（ステップＳ３４）
空調機用コントローラ２は、ｎ−１個の分割グループに設定されたユニットのアドレスを登録する。
【００７７】
例えば、図１９に示すように、追加したグループ［０２］には、グループ分割の設定時に設定された室内機４のアドレスが登録される。
【００７８】
（ステップＳ３５）
空調機用コントローラ２は、ｍ＋１＋（ｎ−１）以降のグループについてはｎ−１個の分割グループとして追加されたグループ分だけグループ番号７０をシフトしてユニットのアドレスを登録し、処理を終了する。
【００７９】
例えば、図２０に示すように、ｍ＋１＋（ｎ−１）以降のグループのそれぞれは、追加されたグループ分（ｎ−１）だけグループ番号７０がシフトされ、室内機４のアドレスが再登録されている。
【００８０】
なお、上記のステップＳ３５の説明では、グループ番号７０をシフトすることで、分割処理されないグループに含まれる室内機４のアドレスを再登録する動作を説明したが、分割処理は特にこれに限定されない。例えば、図２１に示すように、グループ番号７０をシフトすることで分割処理されない室内機４のアドレスが再登録されるのではなく、それぞれのグループ番号７０が再割付される動作が実行されてもよい。この場合、空調機用コントローラ２は、グループｍ＋１以降のグループのそれぞれに、グループ番号７０を、ｎ−１の値を付加した値の番号に変更すればよい。
【００８１】
（実施の形態１の効果）
以上の説明から、空調機用コントローラ２は、分割処理を実行する場合、分割数と、登録対象ユニットのアドレスとに基づいて、グループを分割すると共に、グループアイコンボタン８０のサイズを再登録後の室内機４の台数に応じて表示する。よって、空調機用コントローラ２は、作業内容に即した簡易な操作でグループの再設定を行うことができるので、作業負荷をかけずにレイアウト変更に対応したグループ表示を実施できる。また、空調機用コントローラ２は、分割結果に応じてグループアイコンボタン８０の表示サイズを変更するため、作業担当者等の誤認識等を防ぐことができる。
【００８２】
以上の説明から、本実施の形態１において、予め設定された複数のグループのそれぞれに室内機４を含み、グループごとに室内機４を管理する空調機用コントローラ２であって、グループをアイコンで表示する表示部２２と、表示部２２を制御するＣＰＵ１６と、を備え、グループは、空調対象空間を予め設定されたそれぞれの小空間で分割したうちの１つと紐付けが設定され、ＣＰＵ１６は、小空間の変更に対応した変更指令を受信した場合、変更指令に応じて、グループに対応付けられている室内機４の対応関係を変更し、変更した室内機４の対応関係に基づいた表示内容で表示部２２にアイコンを表示させる空調機用コントローラ２が構成される。
【００８３】
上記構成で、空調機用コントローラ２は、作業内容に即した簡易な操作でグループの再設定を行わせることで、作業負荷をかけずにレイアウト変更に対応したグループ表示を行うことができる。
【００８４】
また、本実施の形態１において、グループのそれぞれには番号が設定され、ＣＰＵ１６は、変更指令がグループの分割処理である場合、グループの番号と、グループの分割内容と、に基づいて、グループに対応付けられている室内機４の対応関係を分割し、分割した室内機４の対応関係に基づいた表示内容でアイコンを表示させる。
【００８５】
上記構成で、空調機用コントローラ２は、分割内容に即した簡易な操作でグループの分割設定を行わせることで、作業負荷をかけずに分割に伴うレイアウト変更に対応したグループ表示を行うことができる。
【００８６】
また、本実施の形態１において、ＣＰＵ１６は、アイコンを表示する際、室内機４の台数に応じて表示サイズを変更して表示部２２に表示させる。
【００８７】
上記構成で、空調機用コントローラ２は、室内機４の登録台数が増加するにつれ、アイコンの表示サイズを小さくさせることができ、室内機４の登録台数が減少するにつれ、アイコンの表示サイズを大きくさせることもできる。よって、空調機用コントローラ２は、アイコンの大きさで室内機４のおおまかな登録台数をユーザーに識別させることができるため、ユーザーに登録内容を直感的に理解させることができる。
【００８８】
また、本実施の形態１において、空気調和システム１は、空調機用コントローラ２と、室外機３と、室内機４と、を備え、空調機用コントローラ２は、室外機３と、室内機４と、をグループごとに制御する。
【００８９】
上記構成で、空気調和システム１は、ユーザーに操作に応じて、各グループに対応するアイコンを空調機用コントローラ２に制御させることで、効率よく室外機３及び室内機４を管理することができる。
【００９０】
実施の形態２．
（実施の形態２の構成）
図２２は、本発明の実施の形態２におけるグループ統合の一例を示す図である。図２２に示すように、例えば、統合前のグループ［０１］と、統合前のグループ［０２］とが統合され、統合後のグループ［０１］が設定される。
【００９１】
（実施の形態２の動作）
図２３は、本発明の実施の形態２におけるグループ統合に伴うデータ構造の遷移を概略的に説明する図である。図２３に示すように、グループ番号［０１］に紐付けされる室内機４のアドレスが新たに登録され、グループ番号［０２］に関連するデータが削除され、統合に関係ないグループ番号［０２］が再割付される。
【００９２】
図２４は、本発明の実施の形態２におけるグループ統合操作受付処理の一例を説明するフローチャートである。図２５は、本発明の実施の形態２におけるグループ統合前で統合操作開始時のレイアウト画面１５０ｃの一例を示す図である。図２６は、本発明の実施の形態２におけるグループ統合前で統合対象選択時のレイアウト画面１５０ｄの一例を示す図である。図２７は、本発明の実施の形態２におけるグループ統合後のレイアウト画面１５０ｅの一例を示す図である。
【００９３】
（ステップＳ５１）
空調機用コントローラ２は、統合対象のグループが選択されたか否かを判定する。空調機用コントローラ２は、統合対象のグループが選択された場合、ステップS５２に進む。一方、空調機用コントローラ２は、統合対象のグループが選択されない場合、ステップS５１に戻る。
【００９４】
例えば、図２５に示すように、物理的オブジェクト１７１で統合対象のグループアイコンボタン８１の押下操作がされた場合、空調機用コントローラ２は、統合対象のグループが選択されたと判定する。また、この場合、グループアイコンボタン８１は、チェックマーク９３が表示され、表示色が変更される。
【００９５】
（ステップＳ５２）
空調機用コントローラ２は、統合操作の機能が選択されたか否かを判定する。空調機用コントローラ２は、統合操作の機能が選択された場合、ステップＳ５３に進む。一方、空調機用コントローラ２は、統合操作の機能が選択されない場合、ステップＳ５２に戻る。
【００９６】
例えば、図２５に示すように、物理的オブジェクト１７１でグループ統合ボタン１６３の押下操作がされた場合、空調機用コントローラ２は、統合操作の機能が選択されたと判定する。
【００９７】
（ステップＳ５３）
空調機用コントローラ２は、被統合対象のグループが選択されたか否かを判定する。空調機用コントローラ２は、被統合対象のグループが選択された場合、処理を終了する。一方、空調機用コントローラ２は、被統合対象のグループが選択されない場合、ステップＳ５３に戻る。
【００９８】
例えば、図２６に示すように、物理的オブジェクト１７１で被統合対象のグループアイコンボタン８２の押下操作がされた場合、空調機用コントローラ２は、被統合対象のグループが選択されたと判定する。
【００９９】
上記の動作の結果、図２７に示すように、レイアウト画面１５０ｅには、グループ［０２］がグループ［０１］に統合されて表示される。グループ［０２］は統合前のグループ［０３］であり、グループ［０３］は統合前のグループ［０４］であり、統合処理でグループ番号７０が変更されて表示される。グループ設定は、グループ［０１］に室内機４のアドレス［００１］〜アドレス［００４］が登録され、グループ［０２］に室内機４のアドレス［００５］及びアドレス［００６］が登録され、グループ［０３］に室内機４のアドレス［００７］及びアドレス［００８］が登録されている。よって、統合操作後、グループ［０１］には室内機４が４台登録されていることとなるため、２台登録されているグループ［０２］及びグループ［０３］と比べ、グループアイコンボタン８１は、横幅のサイズが２倍で表示される。
【０１００】
図２８は、本発明の実施の形態２におけるグループ統合動作内部処理の一例を説明するフローチャートである。図２９は、本発明の実施の形態２における統合対象グループの室内機データ削除時のグループ設定情報の一例を示す図である。図３０は、本発明の実施の形態２における統合グループの室内機データ登録時のグループ設定情報の一例を示す図である。図３１は、本発明の実施の形態２における統合グループの室内機データ再登録時のグループ設定情報の一例を示す図である。図３２は、本発明の実施の形態２におけるグループ番号再割付時のグループ設定情報の一例を示す図である。
【０１０１】
（ステップＳ７１）
空調機用コントローラ２は、統合対象のグループの番号と被統合対象のグループの番号と非統合対象のグループの番号とをそれぞれ取得したか否かを判定する。空調機用コントローラ２は、統合対象のグループの番号と被統合対象のグループの番号と非統合対象のグループの番号とをそれぞれ取得した場合、ステップＳ７２に進む。一方、空調機用コントローラ２は、統合対象のグループの番号と被統合対象のグループの番号と非統合対象のグループの番号とをそれぞれ取得しない場合、ステップＳ７１に戻る。
【０１０２】
（ステップＳ７２）
空調機用コントローラ２は、被統合対象のグループに設定されたユニットのアドレスを削除する。
【０１０３】
例えば、図２９に示すように、グループ［０２］に含まれる室内機４のアドレスが削除される。
【０１０４】
（ステップＳ７３）
空調機用コントローラ２は、被統合対象のグループから削除したユニットのアドレスを統合対象のグループに登録する。
【０１０５】
例えば、図３０に示すように、グループ［０２］から削除された室内機４のアドレスがグループ［０１］に登録される。
【０１０６】
（ステップＳ７４）
空調機用コントローラ２は、非統合対象のグループについては統合対象のグループと被統合対象のグループとで統合されたグループ分だけグループ番号７０をシフトしてユニットのアドレスを登録する。
【０１０７】
例えば、図３１に示すように、室内機４のアドレス［００５］及びアドレス［００６］［００６］と、室内機４のアドレス［００７］及びアドレス［００８］と、が該当するグループに再登録される。
【０１０８】
なお、ステップＳ７４の説明では、グループ番号７０をシフトすることで、統合処理されないグループに含まれる室内機４のアドレスを再登録する動作を説明したが、統合処理は特にこれに限定されない。例えば、図３２に示すように、グループ番号７０をシフトすることで統合処理されないグループに含まれる室内機４のアドレスが再登録されるのではなく、それぞれのグループ番号７０が再割付される動作が実行されてもよい。この場合、空調機用コントローラ２は、グループｍ＋１以降のグループのそれぞれに、グループ番号７０を、統合したグループ分だけ減算した値の番号に変更すればよい。
【０１０９】
（ステップＳ７５）
空調機用コントローラ２は、ユニットのアドレスが設定されていないグループを削除し、処理を終了する。
【０１１０】
（実施の形態２の効果）
以上の説明から、空調機用コントローラ２は、統合処理を実行する場合、統合対象と、被統合対象と、非統合対象とに基づいて、グループを統合すると共に、グループアイコンボタン８０のサイズを再登録後の室内機４の台数に応じて表示する。よって、空調機用コントローラ２は、作業内容に即した簡易な操作でグループの再設定を行うことができるので、作業負荷をかけずにレイアウト変更に対応したグループ表示を実施できる。また、空調機用コントローラ２は、統合結果に応じてグループアイコンボタン８０の表示サイズを変更するため、作業担当者等の誤認識等を防ぐことができる。
【０１１１】
以上、本実施の形態２において、グループのそれぞれには番号が設定され、ＣＰＵ１６は、変更指令がグループの統合処理である場合、グループの番号と、グループの統合内容と、に基づいて、グループに対応付けられている室内機４の対応関係を統合し、統合した室内機４の対応関係に基づいた表示内容でアイコンを表示させる。
【０１１２】
上記構成で、空調機用コントローラ２は、統合内容に即した簡易な操作でグループの統合設定を行わせることで、作業負荷をかけずに統合に伴うレイアウト変更に対応したグループ表示を行うことができる。
【０１１３】
実施の形態３．
（実施の形態３の構成）
図３３は、本発明の実施の形態３におけるグループ並べ替えの一例を示す図である。図３３に示すように、グループ［０１］が先頭から末尾に並べ替えされている。
【０１１４】
（実施の形態３の動作）
図３４は、本発明の実施の形態３におけるグループ並べ替えに伴うデータ構造の遷移を概略的に説明する図である。図３４に示すように、グループ番号７０と、表示位置を含む表示位置テーブルとが紐付けされている状態を前提として、グループが並べ替えられる際、表示位置テーブルに含まれる表示位置が再割付されると想定される。
【０１１５】
図３５は、本発明の実施の形態３におけるグループ並べ替え操作受付処理の一例を説明するフローチャートである。図３６は、本発明の実施の形態３におけるグループ並べ替え前でグループ並べ替え操作開始時のレイアウト画面１５０ｆの一例を示す図である。図３７は、本発明の実施の形態３におけるグループ並べ替え後のレイアウト画面１５０ｇの一例を示す図である。
【０１１６】
（ステップＳ９１）
空調機用コントローラ２は、並べ替えるグループが選択されたか否かを判定する。空調機用コントローラ２は、並べ替えるグループが選択された場合、ステップＳ９２に進む。一方、空調機用コントローラ２は、並べ替えるグループが選択されない場合、ステップＳ９１に戻る。
【０１１７】
例えば、図３６に示すように、物理的オブジェクト１７１で並べ替え対象のグループアイコンボタン８１の押下操作がされた場合、空調機用コントローラ２は、並べ替えるグループが選択されたと判定する。このとき、グループアイコンボタン８５は、チェックマーク９３が表示され、表示色が変更される。
【０１１８】
（ステップＳ９２）
空調機用コントローラ２は、並べ替え先のグループが選択されたか否かを判定する。空調機用コントローラ２は、並べ替え先のグループが選択された場合、処理を終了する。一方、空調機用コントローラ２は、並べ替え先のグループが選択されない場合、ステップＳ９２に戻る。
【０１１９】
（ステップＳ９３）
例えば、図３６に示すように、物理的オブジェクト１７１で挿入先のグループアイコンボタン８３の押下操作がされた場合、空調機用コントローラ２は、並べ替え先のグループが選択されたと判定する。
【０１２０】
以上の結果、図３７に示すように、グループアイコンボタン８１は、末尾である右端に表示される。次いで、挿入完了から規定時間経過後、グループアイコンボタン８１は、チェックマーク９３が非表示となり、表示色がデフォルト状態に戻る。
【０１２１】
図３８は、本発明の実施の形態３におけるグループ並べ替え動作内部処理の一例を説明するフローチャートである。図３９は、本発明の実施の形態３におけるグループ並べ替えの手順を概略的に説明する図である。
【０１２２】
（ステップＳ１０１）
空調機用コントローラ２は、並べ替え対象である挿入元グループを抜く。例えば、図３９に示す第１状態である。
【０１２３】
（ステップＳ１０２）
空調機用コントローラ２は、抜かれたグループアイコンボタン８０の分を詰める。例えば、図３９に示す第２状態である。
【０１２４】
（ステップＳ１０３）
空調機用コントローラ２は、詰めたグループアイコンボタン８０を整列する。
【０１２５】
（ステップＳ１０４）
空調機用コントローラ２は、挿入元グループを挿入先グループの位置に挿入する。例えば、図３９に示す第３状態である。
【０１２６】
（ステップＳ１０５）
空調機用コントローラ２は、挿入元グループが挿入された分を右にシフトする。例えば、図３９に示す第４状態である。
【０１２７】
（ステップＳ１０６）
空調機用コントローラ２は、画面の右端を超えるか否かを判定する。空調機用コントローラ２は、画面の右端を越える場合、ステップＳ１０７に進む。一方、空調機用コントローラ２は、画面の右端を越えない場合、処理を終了する。
【０１２８】
（ステップＳ１０７）
空調機用コントローラ２は、画面の右端を越えたグループアイコンボタン８０を下段に表示し、処理を終了する。
【０１２９】
図４０は、本発明の実施の形態３におけるグループ並べ替えの位置の詳細例を示す図である。図４１は、本発明の実施の形態３における現在位置から左側へのグループ並べ替え動作を概略的に説明する図である。図４２は、本発明の実施の形態３における下段から上段へのグループ並べ替え動作を概略的に説明する図である。図４３は、本発明の実施の形態３における現在位置から右側へのグループ並べ替え動作を概略的に説明する図である。図４４は、本発明の実施の形態３における上段から下段へのグループ並べ替え動作を概略的に説明する図である。
【０１３０】
例えば、Ｎｏ．１及びＮｏ．２に対応する動作は、図４１及び図４２に示すように、挿入元のグループアイコンボタン８０は１つ後ろに表示される。Ｎｏ．３及びＮｏ．４に対応する動作は、図４３及び図４４に示すように、挿入元のグループアイコンボタン８０は１つ前に表示される。
【０１３１】
（実施の形態３の効果）
以上の説明から、空調機用コントローラ２は、作業担当者の簡易な操作を受け付けるだけで、グループアイコンボタン８０を自動的に並べ替えて整列した状態で表示させることができる。
【０１３２】
以上、本実施の形態３において、グループのそれぞれには番号が設定され、ＣＰＵ１６は、変更指令がグループの並べ替え処理である場合、グループの番号と、グループの並べ替え内容と、に基づいて、グループに対応付けられている室内機４の対応関係を並べ替え、並べ替えた室内機４の対応関係に基づいた表示内容でアイコンを表示させる。
【０１３３】
上記構成で、空調機用コントローラ２は、並べ変え内容に即した簡易な操作でグループの並べ変え設定を行わせることで、作業負荷をかけずに並べ変えに伴うレイアウト変更に対応したグループ表示を行うことができる。
【０１３４】
実施の形態４．
（実施の形態４の構成）
図４５は、本発明の実施の形態４におけるレイアウト画面１５０ｈと画面表示位置データとの対応関係の一例を示す図である。図４５においては、２行４列でグループアイコンボタン８０が表示される設定が示されている。例えば、表示位置情報として、上段側は、左から順に［Ｕ１］、［Ｕ２］、［Ｕ３］、及び［Ｕ４］が割り当てられ、下段側は、左から順に［Ｄ１］、［Ｄ２］、［Ｄ３］、及び［Ｄ４］が割り当てられている。
【０１３５】
（実施の形態４の動作）
図４６は、本発明の実施の形態４における画面表示位置データの一例を示す図である。図４６に示すように、グループ番号データと、登録ユニットデータと、表示位置データとがそれぞれ紐付けされている。
【０１３６】
図４７は、本発明の実施の形態４における表示位置指定用の通信コマンドの一例を示す図である。例えば、並べ替え後、空調機用コントローラ２のそれぞれで、同一の並び順とするために、通信コマンドに表示位置データを含ませる。具体的には、データ送信先のアドレスと、各グループの画面の表示位置データとで構成される通信コマンドが、空調機用コントローラ２間で送受信されることで、空調機用コントローラ２間で画面表示情報が共有され、空調機用コントローラ２のそれぞれは画面表示位置の同期を取ることができる。
【０１３７】
図４８は、本発明の実施の形態４における通信処理の一例を説明するフローチャートである。
【０１３８】
（上位側機器画面表示同期処理）
（ステップＳ１２１）
空調機用コントローラ２ａは、グループの並べ替えが実行されたか否かを判定する。空調機用コントローラ２ａは、グループの並べ替えが実行された場合、ステップＳ１２２に進む。一方、空調機用コントローラ２ａは、グループの並べ替えが実行されない場合、ステップＳ１２１に戻る。
【０１３９】
（ステップＳ１２２）
空調機用コントローラ２ａは、同一ネットワーク内に他の空調機用コントローラ２ｂが存在するか否かを判定する。空調機用コントローラ２ａは、同一ネットワーク内に他の空調機用コントローラ２ｂが存在する場合、ステップＳ１２３に進む。一方、空調機用コントローラ２ａは、同一ネットワーク内に他の空調機用コントローラ２ｂが存在しない場合、処理を終了する。
【０１４０】
（ステップＳ１２３）
空調機用コントローラ２ａは、表示位置データを他の空調機用コントローラ２ｂに送信する。
【０１４１】
（下位側機器画面表示同期処理）
（ステップＳ１４１）
空調機用コントローラ２ｂは、表示位置データを受信したか否かを判定する。空調機用コントローラ２ｂは、表示位置データを受信した場合、ステップＳ１４２に進む。一方、空調機用コントローラ２ｂは、表示位置データを受信しない場合、ステップＳ１４１に戻る。
【０１４２】
（ステップＳ１４２）
空調機用コントローラ２ｂは、表示位置データに基づいてグループを並べ替える。
【０１４３】
（ステップＳ１４３）
空調機用コントローラ２ｂは、並べ替えた結果に基づいてグループを表示し、処理を終了する。
【０１４４】
（実施の形態４の効果）
以上の説明から、空調機用コントローラ２間でグループアイコンボタン８０の表示位置の同期が取れるため、空気調和システム１は、レイアウト変更に対応したグループ表示を同一ネットワーク内に含まれる空調機用コントローラ２のそれぞれに行うことができる。
【０１４５】
以上、本実施の形態４において、各種信号を送受信する送受信回路１３をさらに備え、ＣＰＵ１６は、グループに含まれる室内機４と対応させた並び順でアイコンを表示部２２に表示させるものであって、各種信号に並び順が含まれる場合、並び順を送受信回路１３を介して送信する。
【０１４６】
また、本実施の形態４において、空気調和システム１は、空調機用コントローラ２を複数備え、空調機用コントローラ２のそれぞれは、互いに管理信号を送受信し、管理信号は、アイコンの表示位置が含まれる。
【０１４７】
上記構成で、空気調和システム１は、レイアウト変更に対応したグループ表示を同一ネットワーク内に含まれる空調機用コントローラ２のそれぞれに行うことができる。
【０１４８】
実施の形態５．
（実施の形態５の概要）
実施の形態５は、空調機用コントローラ２が、上述した監視画面３１を後述する監視画面３２の表示内容に制御し、例えば、グループ番号７０の表示の有無を切替制御する点について説明する。
【０１４９】
（実施の形態５の動作）
図４９は、本発明の実施の形態５におけるグループ番号表示有無設定画面の一例を示す図である。
【０１５０】
上記で説明したように、グループの並べ替えが実施された場合、グループ番号７０は昇順及び降順の何れか一方とはならない状態となるため、グループアイコンボタン８１〜グループアイコンボタン８５は、グループ番号順で表示されない。ここで、グループの並べ替えが実施された後、仮に、ユーザーが上述した監視画面３１を確認する場合を想定する。このような想定の場合、グループアイコンボタン８１〜グループアイコンボタン８５がグループ番号順に表示されていないため、ユーザーが誤操作したり、誤認識したりする恐れがある。つまり、グループの並べ替え後の監視画面３１は、ユーザーの誤操作及び誤認識の原因となり得る。よって、空調機用コントローラ２は、グループの並べ替えが実施された場合、グループ番号７０の表示の有無設定をユーザーに行わせる。
【０１５１】
図５０は、本発明の実施の形態５におけるグループ番号表示無し設定時の監視画面３２の一例を示す図である。グループアイコンボタン８１〜グループアイコンボタン８５のそれぞれには、グループ番号７０が非表示となっている。
【０１５２】
例えば、ユーザーが“するボタン１６８”を選択した場合、上述した監視画面３１のように、グループ番号７０が表示される。一方、ユーザーが“しないボタン１６９”を選択した場合、上述した監視画面３１とは異なり、図５０に示す監視画面３２のようにグループアイコンボタン８１〜グループアイコンボタン８５にはグループ番号７０が表示されない。なお、このような設定内容は、例えば、不揮発メモリ１５に記憶されてもよい。
【０１５３】
（実施の形態５の効果）
以上の説明から、空調機用コントローラ２は、レイアウト変更後、グループ番号を非表示に設定できるため、レイアウト変更に対応したグループ表示であっても、ユーザーに誤操作及び誤認識をさせることを防ぐことができる。
【０１５４】
以上、本実施の形態５において、ＣＰＵ１６は、グループの番号の表示の有無に関する表示制御信号を受信した場合、表示制御信号に応じて、アイコンの表示内容にグループの番号を含ませるか否かを制御する。
【０１５５】
上記構成で、空調機用コントローラ２は、レイアウト変更に対応したグループ表示であっても、ユーザーに誤操作及び誤認識をさせることを防ぐことができる。
【符号の説明】
【０１５６】
１  空気調和システム、２、２ａ、２ｂ  空調機用コントローラ、３、３ａ〜３ｄ  室外機、４、４ａ〜４ｈ  室内機、６  通信伝送線、１１  設定情報テーブル、１２  タッチパネルディスプレイ、１３  送受信回路、１４  メモリ、１５  不揮発メモリ、１６  ＣＰＵ、２１  操作入力部、２２  表示部、３１、３２  監視画面、４１  グリッドスクリーンボタン、４２  リストスクリーンボタン、４３  グループスクリーンボタン、４４  メインメニュースクリーンボタン、５１  現在時刻、６０〜６５  グループ名、７０〜７５  グループ番号、８０〜８５  グループアイコンボタン、９１  暖房モード表示サイン、９２  フィルター交換サイン、９３  チェックマーク、１０１  選択操作パネルアクセスボタン、１０２  ズームアウト／ズームインボタン、１０３  左三角ボタン、１０４  現在頁番号、１０５  右三角ボタン、１０６  セレクトオールボタン、１０７  操作ボタン、１０８  分割ボタン、１１１  設定変更前状態、１１２  設定変更中状態、１１３  設定変更後状態、１２１  設定変更前表示画面、１２２  設定変更中表示画面、１２３  設定変更後表示画面、１２４  グループ番号表示有無設定画面、１３１  設定状態保持データ、１３３  変更内容データ、１３４  表示位置データ、１３５  対応関係設定処理部、１４１  希望表示位置、１４３  設定変更中表示位置、１４５  設定変更後表示位置、１５０、１５０ａ〜１５０ｈ  レイアウト画面、１５１  グループ分割設定画面、１６１  グループ分割ボタン、１６２  オプションボタン、１６３  グループ統合ボタン、１６４  分割数入力ボタン、１６５  アドレス入力ボタン、１６６  キャンセルボタン、１６７  ＯＫボタン、１６８  するボタン、１６９  しないボタン、１７１  物理的オブジェクト。
【図１】
2015111173.tif 000003
【図２】
2015111173.tif 000004
【図３】
2015111173.tif 000005
【図４】
2015111173.tif 000006
【図５】
2015111173.tif 000007
【図６】
2015111173.tif 000008
【図７】
2015111173.tif 000009
【図８】
2015111173.tif 000010
【図９】
2015111173.tif 000011
【図１０】
2015111173.tif 000012
【図１１】
2015111173.tif 000013
【図１２】
2015111173.tif 000014
【図１３】
2015111173.tif 000015
【図１４】
2015111173.tif 000016
【図１５】
2015111173.tif 000017
【図１６】
2015111173.tif 000018
【図１７】
2015111173.tif 000019
【図１８】
2015111173.tif 000020
【図１９】
2015111173.tif 000021
【図２０】
2015111173.tif 000022
【図２１】
2015111173.tif 000023
【図２２】
2015111173.tif 000024
【図２３】
2015111173.tif 000025
【図２４】
2015111173.tif 000026
【図２５】
2015111173.tif 000027
【図２６】
2015111173.tif 000028
【図２７】
2015111173.tif 000029
【図２８】
2015111173.tif 000030
【図２９】
2015111173.tif 000031
【図３０】
2015111173.tif 000032
【図３１】
2015111173.tif 000033
【図３２】
2015111173.tif 000034
【図３３】
2015111173.tif 000035
【図３４】
2015111173.tif 000036
【図３５】
2015111173.tif 000037
【図３６】
2015111173.tif 000038
【図３７】
2015111173.tif 000039
【図３８】
2015111173.tif 000040
【図３９】
2015111173.tif 000041
【図４０】
2015111173.tif 000042
【図４１】
2015111173.tif 000043
【図４２】
2015111173.tif 000044
【図４３】
2015111173.tif 000045
【図４４】
2015111173.tif 000046
【図４５】
2015111173.tif 000047
【図４６】
2015111173.tif 000048
【図４７】
2015111173.tif 000049
【図４８】
2015111173.tif 000050
【図４９】
2015111173.tif 000051
【図５０】
2015111173.tif 000052
【手続補正書】
【提出日】平成27年12月4日(2015.12.4)
【手続補正２】
【補正対象書類名】明細書
【補正対象項目名】０００１
【補正方法】変更
【補正の内容】
【０００１】
本発明は、空調機用コントローラに関し、例えば、作業内容に即した簡易な操作でグループの再設定を行わせることで、作業負荷をかけずにレイアウト変更に対応したグループ表示を行う空調機用コントローラに関する。
【手続補正３】
【補正対象書類名】明細書
【補正対象項目名】０００７
【補正方法】変更
【補正の内容】
【０００７】
本発明は、上記のような問題点を解決するためになされたもので、作業負荷をかけずにレイアウト変更に対応したグループ表示を行うことができる空調機用コントローラを提供することを目的とするものである。
【手続補正４】
【補正対象書類名】明細書
【補正対象項目名】０００８
【補正方法】変更
【補正の内容】
【０００８】
本発明に係る空調機用コントローラは、複数の室内機を、少なくとも１台からなる複数のグループに分割して管理するとともに、各グループを表すアイコンを複数並べた監視画面を表示させることができる表示装置を有する空調機用コントローラであって、前記監視画面に表示された１つのアイコンが選択されたことを判定し、その後に選択された前記アイコンとは異なるアイコンが選択されたことを判定した場合、選択された前記アイコンを、後に選択されたアイコンの位置に表示する制御部を有するものである。
【手続補正５】
【補正対象書類名】特許請求の範囲
【補正対象項目名】全文
【補正方法】変更
【補正の内容】
【特許請求の範囲】
【請求項１】
複数の室内機を、少なくとも１台からなる複数のグループに分割して管理するとともに、各グループを表すアイコンを複数並べた監視画面を表示させることができる表示装置を有する空調機用コントローラであって、
前記監視画面に表示された１つのアイコンが選択されたことを判定し、
その後に選択された前記アイコンとは異なるアイコンが選択されたことを判定した場合、
選択された前記アイコンを、後に選択されたアイコンの位置に表示する制御部を有する
ことを特徴とする空調機用コントローラ。
【請求項２】
前記制御部は、
選択された前記アイコンとは異なるアイコンが選択されたことを判定した場合、
選択された前記アイコンを、後に選択されたアイコンの位置に表示するとともに、後に選択されたアイコンを隣のアイコンの位置に表示する
ことを特徴とする請求項１に記載の空調機用コントローラ。
【請求項３】
前記制御部は、
前記監視画面に表示された１つのアイコンが選択されたことを判定した場合、
該アイコンの表示色を変更する
ことを特徴とする請求項１に記載の空調機用コントローラ。
【請求項４】
前記制御部は、
前記監視画面に表示された１つのアイコンが選択されたことを判定した場合、
該アイコンを前記監視画面上から消去する
ことを特徴とする請求項１に記載の空調機用コントローラ。
【請求項５】
各グループには、固有のグループ番号が割り付けられており、
アイコンには前記グループ番号が表示されている
ことを特徴とする請求項１〜４の何れか一項に記載の空調機用コントローラ。
【請求項６】
前記監視画面には、グループの分割を示すボタンが表示されており、
前記制御部は、
前記ボタンが押された後に、１つのアイコンが選択されたことを判定した場合、
そのアイコンが表すグループ内の室内機を変更することができる変更画面を表示し、
前記変更画面にて、そのグループ内の室内機の一部を新しいグループに分割する操作がされた場合、
指定されていないアイコンが表すグループのグループ番号の再割り付けを行う
ことを特徴とする請求項５に記載の空調機用コントローラ。
【請求項７】
前記監視画面には、グループの統合を示すボタンが表示されており、
前記制御部は、
前記ボタンが押された後に、１つのアイコンが選択されたことを判定した場合、
そのアイコンが表すグループ内の室内機を変更することができる変更画面を表示し、
前記変更画面にて、そのグループ内の室内機を既存の他のグループに統合する操作がされた場合、
指定されていないアイコンが表すグループのグループ番号の再割り付けを行う
ことを特徴とする請求項５に記載の空調機用コントローラ。
【国際調査報告】
2015111173.tif 000053
2015111173.tif 000054
2015111173.tif 000055
2015111173.tif 000056